(57)【要約】【課題】表示装置に表示された取扱説明を参照しながら、電気機器の操作を適切に行うことができる表示システムを提供することにある。【解決手段】自機器の運転に係る情報を表示する表示部を備える電気機器と、前記電気機器からの情報に基づく画像を表示する表示装置とを含む表示システムにおいて、前記電気機器が、前記表示部が表示中の表示情報に対応する対応情報を自機器の取扱説明情報から抽出し、抽出された対応情報を電子メールにて前記表示装置に送信して前記表示装置に前記対応情報を表示させる。【選択図】図９
2016018275.tif 000002
【特許請求の範囲】
【請求項１】
自機器の運転に係る情報を表示する表示部を備える電気機器と、前記電気機器からの情報に基づく画像を表示する表示装置とを含む表示システムにおいて、
前記電気機器は、
前記表示部が表示中の表示情報に対応する対応情報を自機器の取扱説明情報から抽出する抽出手段と、
抽出された対応情報を電子メールにて前記表示装置に送信する送信部とを備え、
前記表示装置は、
前記電気機器から前記電子メールを受信して前記対応情報を表示するように構成されていることを特徴とする表示システム。
【請求項２】
前記表示装置は、
特定送信元から電子メールを受信した場合、該電子メールに係る対応情報を直ちに表示させる表示制御手段を備えることを特徴とする請求項１に記載の表示システム。
【請求項３】
一の表示情報には他の表示情報が関連付けられており、
前記電気機器は、
前記表示部が表示中の表示情報に関連付けられた他の表示情報に対応する対応情報の送信如何の選択を受け付ける選択受付手段を備えることを特徴とする請求項１又は２に記載の表示システム。
【請求項４】
ユーザの識別情報を該ユーザのアドレスに関連付けて記憶している記憶部と、
受け付けた識別情報に基づいて認証を行う認証手段と、
認証できた場合、受け付けた識別情報に対応するアドレスを送信先とする電子メールを生成するメール生成手段と
を備えることを特徴とする請求項１から３の何れかに記載の表示システム。
【請求項５】
前記対応情報を前記表示装置に送信する指示を受け付ける指示受付手段を備え、
該指示受付手段が前記指示を受け付けた場合、前記メール生成手段が前記抽出手段によって抽出された対応情報を有する電子メールを生成し、該電子メールは本文に前記対応情報を含むように構成されていることを特徴とする請求項４に記載の表示システム。
【請求項６】
前記対応情報を前記表示装置に送信する指示を受け付ける指示受付手段を備え、
該指示受付手段が前記指示を受け付けた場合、前記メール生成手段が前記抽出手段によって抽出された対応情報を有する電子メールを生成し、該電子メールは添付ファイルが前記対応情報を含むように構成されていることを特徴とする請求項４に記載の表示システム。
【請求項７】
前記取扱説明情報を記憶しているウェブサーバを備え、
前記メール生成手段は前記ウェブサーバのＵＲＬの情報を有する電子メールを生成するように構成されていることを特徴とする請求項４から６に記載の表示システム。
【発明の詳細な説明】
【技術分野】
【０００１】
本発明は、自機器の運転に係る情報を表示する表示部を備える電気機器と、前記電気機器からの情報に基づく画像を表示する表示装置とを含む表示システムに関する。
【背景技術】
【０００２】
近年、電気機器は多様な機能を有することから、該電気機器に対する取扱説明書の情報量が膨大になりつつある。そこで、斯かる取扱説明書を電子化した、取扱説明書の電子情報を、当該機器のメモリ内に格納しておき、必要に応じて、ユーザがＰＣ等の端末からネットワークを経由して該電気機器に接続して閲覧乃至ダウンロードできるようにしてある。
【０００３】
一方、特許文献１においては、画像形成装置において、コピー機能を使用しているときにコピー倍率設定キーを押下すると、予め関連付けテーブルに記憶されたコピー倍率設定キーに関連付けされた操作マニュアルの電子データがハードディスクから読出され、この電子データを用いて取説表示エリアに操作情報が表示されることについて開示されている。
【先行技術文献】
【特許文献】
【０００４】
【特許文献１】特開２０１０−１８５９９４号公報
【発明の概要】
【発明が解決しようとする課題】
【０００５】
しかし、上述したような特許文献１に係る画像形成装置においては、読み出された操作マニュアルの電子データを表示するために、取説表示エリアを別途設ける必要がある。また、取説表示エリアを別途設けない場合は、既存の表示部を割愛し、装置の運転に係る操作画面と、前記操作マニュアルの電子データに係る画像とを共に表示する必要がある。
【０００６】
なお、既存の表示部を割愛して表示しない場合は、すなわち、該表示部全体に操作マニュアルの電子データに係る画像のみを表示する場合は、該表示の途中で操作画面を表示する必要が生じた場合、該操作画面を表示させるための操作を行うこととなり使い勝手が悪い。
【０００７】
本発明は、斯かる事情に鑑みてなされたものであり、その目的とするところは、自機器の運転に係る情報を表示する表示部を備える電気機器と、前記電気機器からの情報に基づく画像を表示する表示装置とを含む表示システムにおいて、前記電気機器が、前記表示部が表示中の表示情報に対応する対応情報を自機器の取扱説明情報から抽出し、抽出された対応情報を電子メールにて前記表示装置に送信して前記表示装置に前記対応情報を表示させることにより、前記表示装置に表示された対応情報（取扱説明情報）を参照しながら、前記電気機器の操作を適切に行うことができる表示システムを提供することにある。
【課題を解決するための手段】
【０００８】
本発明に係る表示システムは、自機器の運転に係る情報を表示する表示部を備える電気機器と、前記電気機器からの情報に基づく画像を表示する表示装置とを含む表示システムにおいて、前記電気機器は、前記表示部が表示中の表示情報に対応する対応情報を自機器の取扱説明情報から抽出する抽出手段と、抽出された対応情報を電子メールにて前記表示装置に送信する送信部とを備え、前記表示装置は、前記電気機器から前記電子メールを受信して前記対応情報を表示するように構成されていることを特徴とする。
【０００９】
本発明に係る表示システムは、前記表示装置は、特定送信元から電子メールを受信した場合、該電子メールに係る対応情報を直ちに表示させる表示制御手段を備えることを特徴とする。
【００１０】
本発明に係る表示システムは、一の表示情報には他の表示情報が関連付けられており、前記電気機器は、前記表示部が表示中の表示情報に関連付けられた他の表示情報に対応する対応情報の送信如何の選択を受け付ける選択受付手段を備えることを特徴とする。
【００１１】
本発明に係る表示システムは、ユーザの識別情報を該ユーザのアドレスに関連付けて記憶している記憶部と、受け付けた識別情報に基づいて認証を行う認証手段と、認証できた場合、受け付けた識別情報に対応するアドレスを送信先とする電子メールを生成するメール生成手段とを備えることを特徴とする。
【００１２】
本発明に係る表示システムは、前記対応情報を前記表示装置に送信する指示を受け付ける指示受付手段を備え、該指示受付手段が前記指示を受け付けた場合、前記メール生成手段が前記抽出手段によって抽出された対応情報を有する電子メールを生成し、該電子メールは本文に前記対応情報を含むように構成されていることを特徴とする。
【００１３】
本発明に係る表示システムは、前記対応情報を前記表示装置に送信する指示を受け付ける指示受付手段を備え、該指示受付手段が前記指示を受け付けた場合、前記メール生成手段が前記抽出手段によって抽出された対応情報を有する電子メールを生成し、該電子メールは添付ファイルが前記対応情報を含むように構成されていることを特徴とする。
【００１４】
本発明に係る表示システムは、前記取扱説明情報を記憶しているウェブサーバを備え、前記メール生成手段は前記ウェブサーバのＵＲＬの情報を有する電子メールを生成するように構成されていることを特徴とする。
【発明の効果】
【００１５】
本発明によれば、前記電気機器の表示部に、ユーザの入力操作を受け付ける画面が表示された場合のように、取扱説明の表示が困難な場合であっても、前記表示装置に前記対応情報（取扱説明情報）を表示させることにより、前記表示装置に表示された対応情報を参照しながら、前記電気機器の操作を適切に行うことができる。
【図面の簡単な説明】
【００１６】
【図１】本発明の実施の形態１に係る表示システムの概念図である。
【図２】本発明の実施の形態１に係る表示システムに係る複合機の要部構成を示す機能ブロック図である。
【図３】本発明の実施の形態１に係る表示システムに係るモバイル端末の要部構成を示す機能ブロック図である。
【図４】本発明の実施の形態１に係る表示システムの複合機における、制御部を説明する機能ブロック図である。
【図５】本発明の実施の形態１に係る表示システムのモバイル端末における、制御部を説明する機能ブロック図である。
【図６】本発明の実施の形態１に係る表示システムの複合機における、設定画面の操作を説明する説明図である。
【図７】本発明の実施の形態１に係る表示システムの複合機における、設定画面の操作を説明する説明図である。
【図８】本発明の実施の形態１に係る表示システムの複合機における、設定画面の操作を説明する説明図である。
【図９】本発明の実施の形態１に係る表示システムにおいて、モバイル端末での対応情報の表示について説明するフローチャートである。
【図１０】本発明の実施の形態１に係る表示システムにおいて、ユーザが正しい入力に失敗した場合、表示部に表示されるエラー通知のダイアログボックスを例示する例示図である。
【図１１】本発明の実施の形態１に係る表示システムにおいて、複合機の表示部に表示されるダイアログボックスの一例を示す例示図である。
【図１２】本発明の実施の形態２に係る表示システムにおいて、モバイル端末での対応情報の表示について説明するフローチャートである。
【図１３】本発明の実施の形態２に係る表示システムにおいて、複合機の表示部に表示されるダイアログボックスの一例を示す例示図である。
【図１４】本発明の実施の形態３に係る表示システムにおいて、モバイル端末での対応情報の表示について説明するフローチャートである。
【発明を実施するための形態】
【００１７】
以下に、本発明の実施の形態に係る表示システムを、該表示システムに係る電気機器及び表示装置が各々画像形成装置（複合機）及び携帯電話機（スマートフォン）である場合を例として、図面に基づいて詳述する。
【００１８】
（実施の形態１）
図１は本発明の実施の形態１に係る表示システム１００の概念図であり、図２は本発明の実施の形態１に係る表示システム１００に係る複合機１の要部構成を示す機能ブロック図であり、図３は本発明の実施の形態１に係る表示システム１００に係るモバイル端末２の要部構成を示す機能ブロック図である。実施の形態１に係る表示システム１００は、複合機１及びモバイル端末２、ＳＭＴＰサーバ３、ＰＯＰサーバ４及びウェブサーバ６を備えており、これらは、ネットワーク５を介して接続している。
【００１９】
例えば、モバイル端末２の電子メールアドレスを送信先アドレスに指定して複合機１から送信される電子メールは、ＳＭＴＰサーバ３に送信され、ＳＭＴＰサーバ３からネットワーク５を経由してＰＯＰサーバ４に送信される。
【００２０】
一方、モバイル端末２には、ＰＯＰサーバ４から自機宛の電子メールを取得するメール取得間隔が予め設定されている。モバイル端末２は、斯かるメール取得間隔に基づき、ＰＯＰサーバ４にアクセスして、自機宛の電子メールの受信処理を行う。
【００２１】
複合機１は、上述したようにネットワーク５に接続されており、ネットワーク５を介してウェブサーバ６と接続されている。また、複合機１は、自機に係る取扱説明書の電子情報（以下、取扱説明情報）を有している。
【００２２】
複合機１は、制御部１１、画像入力部１７、画像処理部１８、画像出力部１９、記憶部１４、ネットワークインターフェース１６、送信制御部１５及び操作パネル１２等のハードウェアを備え、全体としてデジタル複合機を構成している。
【００２３】
記憶部１４は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されており、画像処理用の画像データ、自機の取扱に関する説明の取扱説明情報等を記憶している。また、記憶部１４には、自機の使用が許可されているユーザを表す識別情報を記憶している。記憶部１４において、斯かる識別情報は、当該ユーザの電子メールアドレスと関連付けて記憶されている。制御部１１はユーザから識別情報を受け付けた場合、受け付けた識別情報と、記憶部１４に記憶の識別情報とを比較することにより認証を行う。
【００２４】
また、操作パネル１２は、ユーザの指示を受け付けるための各種ボタン、指示の確定を受け付けるエンターキー、テンキー等を備えている。また、操作パネル１２は、ＬＣＤ又はＥＬ（Electroluminescence）パネル等の表示部１３を備えている。
【００２５】
表示部１３は、複合機１の状態、ジョブ処理の状況、ユーザの操作を受け付ける画面（以下、操作画面）及び操作パネル１２の操作内容の確認等、ユーザに対して報知すべき情報を表示する。また、表示部１３はタッチパネルとして機能するように構成されている。
【００２６】
画像入力部１７は、原稿の画像を光学的に読取る読取手段であり、読取用の原稿に光を照射する光源、例えばＣＣＤ（Charge Coupled Device）のようなイメージセンサ等を備えている。画像入力部１７では、所定の読取り位置にセットされた原稿からの反射光像を当該イメージセンサに結像させ、ＲＧＢ（R : Red, G : Green, B : Blue）のアナログ電気信号を出力する。画像入力部１７が出力したアナログ電気信号は画像処理部１８に入力される。
【００２７】
画像出力部１９は、画像処理部１８から出力される画像データに基づいて用紙、ＯＨＰフィルム等のシート上に画像形成を行う。そのため、画像出力部１９は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００２８】
画像処理部１８は、画像入力部１７を通じて入力されるアナログ電気信号を基にデジタル形式の画像データを生成し、画像の種類に応じた処理を施した後、出力用の画像データを生成する。
【００２９】
ネットワークインターフェース１６は、複合機１をネットワーク５に接続させ、電子メールを送信する際のインタフェースとなるものである。
【００３０】
送信制御部１５は、後述するメール生成部１１５によって生成されたメールを、モバイル端末２宛に送信する。送信制御部１５は、記憶部１４に記憶されている特定ユーザの電子メールアドレスへ、又はユーザから入力される電子メールアドレスへ、後述する対応情報を有する電子メールを、ネットワークインターフェース１６を介して送信する。
【００３１】
図４は本発明の実施の形態１に係る表示システム１００の複合機１における、制御部１１を説明する機能ブロック図である。制御部１１は、ＣＰＵ１１１と、ＲＯＭ１１２と、ＲＡＭ１１３と、抽出部１１４と、メール生成部１１５と、指示受付部１１６と、選択受付部１１７と、認証部１１８とを備えている。
【００３２】
ＲＯＭ１１２には各種の制御プログラム、演算用のパラメータのうちの基本的に固定のデータ等が予め格納されており、ＲＡＭ１１３はデータを一時的に記憶し、記憶順、記憶位置等に関係なく読み出すことが可能である。また、ＲＡＭ１１３は、例えば、ＲＯＭ１１２から読み出されたプログラム、該プログラムを実行することにより発生する各種データ、該実行の際適宜変化するパラメータ等を記憶する。
【００３３】
ＣＰＵ１１１は、ＲＯＭ１１２に予め格納されている制御プログラムをＲＡＭ１１３上にロードして実行することによって、上述した各種ハードウェアの制御を行ない、装置全体を本発明の複合機１００として動作させる。
【００３４】
抽出部１１４は、表示部１３が表示する情報（以下、表示情報）に対応する情報であって、該表示情報を補充・説明する、前記取扱説明情報から取得できる情報（以下、対応情報）を、例えば、キーワード等を用いて該取扱説明情報から抽出して取得する。
【００３５】
メール生成部１１５は、記憶部１４に記憶されている特定ユーザの電子メールアドレス、又はユーザから入力される電子メールアドレスを送信先とする電子メールを生成する。メール生成部１１５は、抽出部１１４によって前記取扱説明情報から抽出された対応情報をテキスト形式にしてメールの本文にし、又は、メールの添付ファイルにしてメールを生成する。また、メール生成部１１５は、予め用意されたテンプレートをコピーしてメールのタイトルを作成する。
【００３６】
指示受付部１１６は表示部１３が現在表示している表示情報（以下、現在の表示情報という）に対応する対応情報をモバイル端末２に送信する指示を受け付ける。より詳しくは、表示部１３に表示されている後述する「取扱説明データ」ソフトキーを、ユーザがタッチした場合、指示受付部１１６は斯かる指示を受け付ける。
【００３７】
選択受付部１１７は、指示受付部１１６が現在の表示情報に対応する対応情報をモバイル端末２に送信する指示を受け付けた場合、斯かる現在の表示情報に関連付けられている他の表示情報に対応する対応情報も共に送信するか否かの選択をユーザから受け付ける。
【００３８】
例えば、表示情報が上位から下位に段階的に論理的なツリー構造になっているような場合は、一の表示情報（現在の表示情報）に含まれる、又は関連する所定の内容に対する他の表示情報が、いわゆるサブディレクトリの表示画面に表示されるように構成されている場合が多い。このように、一の表示情報に関連付けられた他の表示情報を、以下では、サブ表示情報という。
【００３９】
すなわち、選択受付部１１７は、現在の表示情報に対応する対応情報をモバイル端末２に送信する指示を受け付けた場合、斯かる現在の表示情報に係るサブ表示情報に対応する対応情報も共に送信するか否かの選択をユーザから受け付ける。
【００４０】
認証部１１８はユーザ認証を行う。例えば、表示部１３に表示されるログイン画面を介して、ユーザから識別情報を受け付けた場合、認証部１１８は受け付けた識別情報と、記憶部１４に記憶の識別情報とを比較することにより認証を行う。
【００４１】
一方、モバイル端末２は、制御部２１と、電話番号、画像データ等を記憶する大容量のフラッシュメモリ２４とを備えている。また、フラッシュメモリ２４には、モバイル端末２が有する画像、文書等のファイル名の一覧（コンテンツデータ）、各画像のサムネイル等のデータが記憶されている。
【００４２】
更に、本発明に係るモバイル端末２は、通信インタフェースを備え基地局との通信を行う基地局通信部２５と、ユーザの操作を受け付ける押釦等の操作パネル２８と、撮影により映像を取得するカメラ、音声の入力を受け付けるマイク等の入力部２３と、映像を出力する液晶モニタである表示部２２とを備えている。また、ネットワークインターフェース２６と、受信制御部２７とを備えている。
【００４３】
ネットワークインターフェース２６は、モバイル端末２をネットワーク５に接続させ、電子メールを受信する際のインタフェースとなるものである。
【００４４】
受信制御部２７は、予め設定されているメール取得間隔に基づき、ネットワークインターフェース２６を介してＰＯＰサーバ４にアクセスし、自機宛の電子メールを受信するための電子メール受信処理を実行する。受信制御部２７はＰＯＰサーバ４に自機宛の電子メールが蓄積されていれば、その電子メールを受信する。
【００４５】
図５は本発明の実施の形態１に係る表示システム１００のモバイル端末２における、制御部２１を説明する機能ブロック図である。制御部２１は、装置全体を制御するＣＰＵ２１１、プログラム、各種データ等を記録するＲＯＭ２１２、高速な書込／読取が可能なＲＡＭ２１３を有している。また、制御部２１は、判定部２１４と、表示制御部２１５とを有する。
【００４６】
判定部２１４は、電子メールを受信した場合、受信した電子メールが特定送信元からか否かの判定を行う。前記特定送信元（メールアドレス）は、例えば、フラッシュメモリ２４に予め記憶されている送信元である。
【００４７】
また、本発明はこれに限るものでない。例えば、モバイル端末２と複合機１との間でいわゆる非接触方式通信（ＲＦＩＤ（Radio Frequency Identification)システム）を用いたＮＦＣ方式の通信が出来るように構成し、ＮＦＣ方式の通信が確立された後、複合機１から自機のメールアドレスを受信し、複合機１のメールアドレスを前記特定送信元とする構成であっても良い。
【００４８】
表示制御部２１５は、前記特定送信元から電子メールを受信した場合、該電子メールに係る対応情報を直ちに表示部２２に表示させる。すなわち、受信した電子メールの送信元が特定送信元であると、前記判定部２１４が判定した場合、表示制御部２１５は、ユーザからの指示を待たずに、受信した電子メールを開封して、その内容を表示部２２に表示させる。
【００４９】
図６〜図８は本発明の実施の形態１に係る表示システム１００の複合機１における、設定画面の操作を説明する説明図である。以下、説明の便宜上、ユーザが当該設定画面を介してネットワーク設定を行う場合を例として説明する。
【００５０】
ユーザは図６に示す初期画面から「システム設定」ソフトキーを指先でタッチ操作する。「システム設定」ソフトキーは前記初期画面の（図面視）右下方向に設けられており、斯かる位置（座標）を特定する、表示部１３（タッチパネル）からの信号を取得して、ＣＰＵ１１１は「システム設定」ソフトキーが操作されたものと認識する。
【００５１】
この際、ＣＰＵ１１１は、図７に示すシステム設定の設定画面を表示部１３に表示させる。該システム設定の設定画面には、「コピー設定」ソフトキー、「スキャン設定」ソフトキー、「ネットワーク設定」ソフトキー、及び「発生エラーの一覧表示」ソフトキーが設けられている。
【００５２】
ユーザは図７の設定画面にて「ネットワーク設定」ソフトキーを指先でタッチ操作することにより、複合機１に係るネットワークを設定に係る設定画面を表示させることができる。この際、表示部７には、図８に示したような設定画面が表示され、ユーザは斯かる設定画面を適宜操作することにより、ネットワーク設定を行うことが出来る。
【００５３】
図８に示したように、当該設定画面には、「取扱説明データ」ソフトキーを含む複数のソフトキーが設けられている。例えば、ユーザが前記「取扱説明データ」ソフトキーをタッチ操作した場合、指示受付部１１６は現在の表示情報に対応する対応情報を電子メールにてモバイル端末２に送信する指示をユーザから受け付ける。
【００５４】
図９は本発明の実施の形態１に係る表示システム１００において、モバイル端末２での対応情報の表示について説明するフローチャートである。以下、説明の便宜上、ユーザがネットワーク設定の操作を行う場合であって、図６及び図７に係る処理を経て、図８に示した設定画面が表示部１３に表示されるものとする。
【００５５】
ユーザは表示部１３に表示されたログイン用の画面を介してログイン名及びパスワード（識別情報）を入力する。この際、認証部１１８はユーザから識別情報の入力を受け付け、受け付けた識別情報と、記憶部１４に記憶の識別情報とを比較することによりユーザの認証を行う。
【００５６】
認証ができた場合、ユーザは図６の初期画面及び図７のシステム設定の設定画面を適宜操作し、ネットワーク設定に係る図８の設定画面を表示部１３に表示させる。
【００５７】
図８に示したように、当該設定画面では、ネットワーク設定において、ＩＰアドレス、サブネットマスク、デフォルトゲートウェイ等の入力をユーザから受け付けるように構成されている。例えば、ユーザは係る入力を行うことにより、ネットワーク設定ができる。
【００５８】
しかし、このようなネットワーク設定に係る入力は専門的知識を要するものであり、一般ユーザには難しい。斯かる入力の際、入力した値が正確でない場合、その旨がユーザに通知される。
【００５９】
図１０は本発明の実施の形態１に係る表示システム１００において、ユーザが正しい入力に失敗した場合、表示部１３に表示されるエラー通知のダイアログボックスを例示する例示図である。斯かるダイアログボックスには「ＩＰアドレスの入力値が不正です」とのテキストと、前記「取扱説明データ」ソフトキーが表示されている。
【００６０】
ユーザは、斯かるＩＰアドレスの入力をやり直すことも可能であるが、前記「取扱説明データ」ソフトキーをタッチ操作することにより、現在の表示情報に対応する対応情報を、すなわち、ネットワーク設定に対応する対応情報をモバイル端末２に電子メールにて送信するように指示することもできる。
【００６１】
例えば、この際、指示受付部１１６は前記「取扱説明データ」ソフトキーを監視することにより斯かる指示を受け付けたか否か判定する（ステップＳ１０１）。すなわち、指示受付部１１６は、前記タッチパネルからの信号に基づいて斯かる判定を行う。
【００６２】
指示受付部１１６は斯かる指示を受け付けていないと判定した場合（ステップＳ１０１：ＮＯ）、繰り返して該判定を行う。
【００６３】
一方、指示受付部１１６は前記指示を受け付けたと判定した場合（ステップＳ１０１：ＹＥＳ）、ＣＰＵ１１１は斯かる対応情報の送信先を問うダイアログボックスを表示部１３に表示させ、表示部１３は該ダイアログボックスを表示する（ステップＳ１０２）。
【００６４】
図１１は本発明の実施の形態１に係る表示システム１００において、複合機１の表示部１３に表示されるダイアログボックスの一例を示す例示図である。図１１に示すダイアログボックスには電子メールの送信先アドレスの入力を受け付けるためのボックスが設けられており、ユーザは係るボックスに送信先のアドレスを入力すれば良い。
【００６５】
この際、ＣＰＵ１１１は当該ダイアログボックスを介して送信先アドレスの入力をユーザから受け付け（ステップＳ１０３）、一時的にＲＡＭ１１３に記憶しておく。
【００６６】
この際、抽出部１１４は現在の表示情報に係る対応情報を記憶部１４の取扱説明情報から抽出する（ステップＳ１０４）。すなわち、抽出部１１４は現在の表示情報であるネットワーク設定に対応する対応情報を記憶部１４の取扱説明情報から抽出する。
【００６７】
次いで、メール生成部１１５は、例えば、抽出部１１４によって前記取扱説明情報から抽出された、ネットワーク設定に対応する対応情報をテキスト形式にしてメールの本文にし、ユーザから受け付けてＲＡＭ１１３に一時的に記憶されている送信先アドレスを用いて、メールを生成する（ステップＳ１０５）。
【００６８】
また、送信制御部１５は、メール生成部１１５によって生成されたメールを、ネットワークインターフェース１６を介してモバイル端末２宛に送信する。これによって、現在の表示情報に係る対応情報がモバイル端末２に送信される（ステップＳ１０６）。
【００６９】
この後、モバイル端末２では、受信制御部２７が、予め設定されているメール取得間隔に基づき、ネットワークインターフェース２６を介してＰＯＰサーバ４にアクセスし、自機宛の電子メールを受信するための電子メール受信処理を実行する。
【００７０】
受信制御部２７はＰＯＰサーバ４に自機宛の電子メールが蓄積されていれば、その電子メールを受信する。
【００７１】
例えば、前記特定送信元として複合機１のメールアドレスがフラッシュメモリ２４に予め記憶されている場合、判定部２１４は、上述したように、複合機１から電子メールを受信した場合、受信した電子メールが特定送信元からのメールであると判定し、表示制御部２１５は、ユーザからの指示を待たずに、受信した電子メールを開封して、その内容を表示部２２に表示させる。
【００７２】
本発明は以上の記載に限るものでない。以上の記載においては電子メールの送信先アドレスの入力をユーザから受け付ける場合を例として説明したがこれに限るものでない。前記ログイン用の画面を介して認証部１１８が受け付けた識別情報に基づいて、記憶部１４から該識別情報に関連付けられている電子メールのアドレスを読み出し、読み出されたアドレスを送信先アドレスとしてメール生成部１１５が斯かるメールを作成するように構成しても良い。
【００７３】
本発明の実施の形態１に係る表示システム１００においては、以上のような構成を有することから、モバイル端末２の表示部２２に複合機１の取扱説明情報を表示させ、該取扱説明情報を参照しながら、複合機１の操作を適切に行うことができる。
【００７４】
（実施の形態２）
図１２は本発明の実施の形態２に係る表示システム１００において、モバイル端末２での対応情報の表示について説明するフローチャートである。以下、説明の便宜上、ユーザがネットワーク設定の操作を行う場合であって、図６及び図７に係る処理を経て、図８に示した設定画面が表示部１３に表示されるものとする。
【００７５】
ユーザは表示部１３に表示されたログイン用の画面を介してログイン名及びパスワード（識別情報）を入力する。この際、認証部１１８はユーザから識別情報の入力を受け付け、受け付けた識別情報と、記憶部１４に記憶の識別情報とを比較することによりユーザの認証を行う。
【００７６】
認証ができた場合、ユーザは図６の初期画面及び図７のシステム設定の設定画面を適宜操作し、ネットワーク設定に係る図８の設定画面を表示部１３に表示させる。図８については、既に説明しており、詳しい説明を省略する。
【００７７】
例えば、ユーザが図８の設定画面への入力に失敗した場合、図１０に示したように、その旨がユーザに通知される。また、ユーザは、図１０のダイアログボックスの「取扱説明データ」ソフトキーをタッチ操作することにより、現在の表示情報に対応する対応情報を、すなわち、ネットワーク設定に対応する対応情報をモバイル端末２に電子メールにて送信するように指示することもできる。
【００７８】
この際、指示受付部１１６は前記「取扱説明データ」ソフトキーを監視することにより斯かる指示を受け付けたか否か判定する（ステップＳ２０１）。指示受付部１１６は斯かる指示を受け付けていないと判定した場合（ステップＳ２０１：ＮＯ）、繰り返して該判定を行う。
【００７９】
一方、指示受付部１１６は前記指示を受け付けたと判定した場合（ステップＳ２０１：ＹＥＳ）、ＣＰＵ１１１は斯かる対応情報の送信先を問うダイアログボックスを表示部１３に表示させ、表示部１３は該ダイアログボックスを表示する（ステップＳ２０２）。
【００８０】
図１３は本発明の実施の形態２に係る表示システム１００において、複合機１の表示部１３に表示されるダイアログボックスの一例を示す例示図である。図１３に示すダイアログボックスには電子メールの送信先アドレスの入力を受け付けるためのボックスの他、送信すべきデータを選択するラジオボタンが設けられており、ユーザは何れかのラジオボタンをチェックすることにより選択できる。
【００８１】
例えば、ユーザが現在の表示情報に係る対応情報のみを送信することを希望する場合は、「この画面のデータを送信」を選択すれば良い。
【００８２】
一方、現在の表示情報に係る対応情報に加え、現在の表示画面に対するサブディレクトリの表示画面に係る前記サブ表示情報を送信することをユーザが希望する場合は、ユーザは「サブ画面のデータも送信」を選択する。
【００８３】
ＣＰＵ１１１は図１３のダイアログボックスを介して送信先アドレスの入力をユーザから受け付け（ステップＳ２０３）、一時的にＲＡＭ１１３に記憶しておく。
【００８４】
次いで、選択受付部１１７は、図１３のダイアログボックスを介して、送信すべき対応情報の選択を受け付ける（ステップＳ２０４）。すなわち、選択受付部１１７は現在の表示情報に対応する対応情報のみをモバイル端末２に送信するか、斯かる現在の表示情報に係るサブ表示情報に対応する対応情報も共に送信するか否かの選択をユーザから受け付ける。
【００８５】
この際、ＣＰＵ１１１は図１３の前記ラジオボタンを監視することにより、送信すべき対応情報としてサブ表示情報が選択されたか判断する（ステップＳ２０５）。すなわち、ＣＰＵ１１１は、現在の表示情報に係るサブ表示情報に対応する対応情報も共に送信するか否かを判定する。ＣＰＵ１１１は、前記タッチパネルからの信号に基づいて斯かる判定を行う。
【００８６】
ＣＰＵ１１１によってサブ表示情報が選択されたと判定された場合（ステップＳ２０５：ＹＥＳ）、抽出部１１４は現在の表示情報に係る対応情報、及び、現在の表示情報に係るサブ表示情報に対応する対応情報を記憶部１４の取扱説明情報から抽出する（ステップＳ２０９）。すなわち、抽出部１１４は現在の表示情報であるネットワーク設定に対応する対応情報に加え、現在の表示情報に係るサブ表示情報である、例えば、「プロキシ設定」、「ＤＮＳ設定」に対応する対応情報を記憶部１４の取扱説明情報から抽出する。
【００８７】
次いで、メール生成部１１５は、例えば、抽出部１１４によって前記取扱説明情報から抽出された、ネットワーク設定に対応する対応情報、及び、「プロキシ設定」、「ＤＮＳ設定」に対応する対応情報をテキスト形式にしてメールの本文にし、ユーザから受け付けてＲＡＭ１１３に一時的に記憶されている送信先アドレスを用いて、メールを生成する（ステップＳ２１０）。
【００８８】
また、送信制御部１５は、メール生成部１１５によって生成されたメールを、ネットワークインターフェース１６を介してモバイル端末２宛に送信する。これによって、現在の表示情報、及び、現在の表示情報に係るサブ表示情報に対応する対応情報がモバイル端末２に送信される（ステップＳ２１１）。
【００８９】
一方、ＣＰＵ１１１によってサブ表示情報が選択されていないと判定された場合（ステップＳ２０５：ＮＯ）、抽出部１１４は現在の表示情報に係る対応情報のみを記憶部１４の取扱説明情報から抽出する（ステップＳ２０６）。
【００９０】
次いで、メール生成部１１５は、例えば、抽出部１１４によって前記取扱説明情報から抽出された、ネットワーク設定に対応する対応情報をテキスト形式にしてメールの本文にし、ユーザから受け付けてＲＡＭ１１３に一時的に記憶されている送信先アドレスを用いて、メールを生成する（ステップＳ２０７）。
【００９１】
また、送信制御部１５は、メール生成部１１５によって生成されたメールを、ネットワークインターフェース１６を介してモバイル端末２宛に送信することにより、現在の表示情報に対応する対応情報をモバイル端末２に送信する（ステップＳ２０８）。
【００９２】
本発明の実施の形態２に係る表示システム１００においては、以上のような構成を有することから、現在の表示情報、及び、現在の表示情報に係るサブ表示情報に対応する対応情報を簡単、かつ効率的に入手することができる。
【００９３】
実施の形態１と同様の部分については、同一の符号を付して詳細な説明を省略する。
【００９４】
（実施の形態３）
本発明の実施の形態３に係る表示システム１００は、実施の形態１又は２に係る表示システム１００と略同様の構成を有している。しかし、ウェブサーバ６、メール生成部１１５、記憶部１４等の構成において相違する。以下、詳しく説明する。
【００９５】
本発明の実施の形態３に係る表示システム１００において、ウェブサーバ６は、複合機１に関する取扱説明情報を記憶している。斯かる取扱説明情報は複数のコンテンツからなり、例えば、コンテンツ毎にＵＲＬが当てられており、ネットワーク５を介して所定のコンテンツに外部からアクセスできるように構成されている。
【００９６】
また、複合機１の記憶部１４には、ウェブサーバ６の前記取扱説明情報のＵＲＬが記憶されている。より詳しくは、前記取扱説明情報のコンテンツ毎のＵＲＬが記憶されている。
【００９７】
また、メール生成部１１５は、ウェブサーバ６における取扱説明情報のＵＲＬを表す情報を本文にするメールを生成する。より詳しくは、現在の表示情報、又は、現在の表示情報に係るサブ表示情報に対応する対応情報の位置を示す、前記取扱説明情報のＵＲＬの情報を本文にするメールを生成する。
【００９８】
図１４は本発明の実施の形態３に係る表示システム１００において、モバイル端末２での対応情報の表示について説明するフローチャートである。以下、説明の便宜上、ユーザがネットワーク設定の操作を行う場合を例にあげて説明する。ユーザは図６及び図７に係る処理を経て、図８に示した設定画面を表示部１３に表示させたが、図８の設定画面への入力に失敗して図１０に示したようなダイアログボックスが表示されたものとする。
【００９９】
この際、ユーザは図１０の「取扱説明データ」ソフトキーをタッチ操作することにより、現在の表示情報に対応する対応情報を、すなわち、ネットワーク設定に対応する対応情報をモバイル端末２に電子メールにて送信するように指示する。
【０１００】
以降、ステップＳ３０１〜ステップＳ３０４における処理は、図１２のステップＳ２０１〜ステップＳ２０４における処理と同様であり、詳しい説明を省略する。
【０１０１】
一方、ＣＰＵ１１１は図１３の前記ラジオボタンを監視することにより、送信すべき対応情報としてサブ表示情報が選択されたか判断する（ステップＳ３０５）。すなわち、ＣＰＵ１１１は、現在の表示情報に係るサブ表示情報に対応する対応情報も共に送信するか否かを判定する。
【０１０２】
ＣＰＵ１１１によってサブ表示情報が選択されたと判定された場合（ステップＳ３０５：ＹＥＳ）、抽出部１１４は現在の表示情報に係る対応情報、及び、現在の表示情報に係るサブ表示情報に対応する対応情報の位置を示す、前記取扱説明情報のＵＲＬの情報を記憶部１４から読み出す（ステップＳ３０９）。すなわち、抽出部１１４は現在の表示情報であるネットワーク設定に対応する対応情報と、現在の表示情報に係るサブ表示情報である、例えば、「プロキシ設定」、「ＤＮＳ設定」に対応する対応情報とを表すコンテンツのＵＲＬの情報を記憶部１４から読み出す。
【０１０３】
次いで、メール生成部１１５は、例えば、抽出部１１４によって読み出された、ネットワーク設定に対応する対応情報、及び、「プロキシ設定」、「ＤＮＳ設定」に対応する対応情報に係るＵＲＬの情報をテキスト形式にしてメールの本文にし、ユーザから受け付けてＲＡＭ１１３に一時的に記憶されている送信先アドレスを用いて、メールを生成する（ステップＳ３１０）。
【０１０４】
また、送信制御部１５は、メール生成部１１５によって生成されたメールを、ネットワークインターフェース１６を介してモバイル端末２宛に送信する。これによって、現在の表示情報、及び、現在の表示情報に係るサブ表示情報に対応する対応情報に係るＵＲＬの情報がモバイル端末２に送信される（ステップＳ３１１）。
【０１０５】
一方、ＣＰＵ１１１によってサブ表示情報が選択されていないと判定された場合（ステップＳ３０５：ＮＯ）、抽出部１１４は現在の表示情報に係る対応情報に対応する対応情報の位置を示す、前記取扱説明情報のＵＲＬの情報のみを記憶部１４から読み出す（ステップＳ３０６）。すなわち、抽出部１１４は現在の表示情報であるネットワーク設定に対応する対応情報を表すコンテンツのＵＲＬの情報のみを記憶部１４から読み出す。
【０１０６】
次いで、メール生成部１１５は、例えば、抽出部１１４によって読み出された、ネットワーク設定に対応する対応情報に係るＵＲＬの情報をテキスト形式にしてメールの本文にし、ユーザから受け付けてＲＡＭ１１３に一時的に記憶されている送信先アドレスを用いて、メールを生成する（ステップＳ３０７）。
【０１０７】
また、送信制御部１５は、メール生成部１１５によって生成されたメールを、ネットワークインターフェース１６を介してモバイル端末２宛に送信することによって、現在の表示情報に対応する対応情報に係るＵＲＬの情報をモバイル端末２に送信する（ステップＳ３０８）。
【０１０８】
本発明の実施の形態２に係る表示システム１００においては、以上のような構成を有することから、各複合機１に対して、取扱説明情報のアップデート等を実施する必要はなく、ウェブサーバ６に対してのみ取扱説明情報のアップデート等を実施すれば良い。
【０１０９】
実施の形態１と同様の部分については、同一の符号を付して詳細な説明を省略する。
【０１１０】
なお、上述した抽出部１１４、メール生成部１１５、指示受付部１１６、選択受付部１１７、認証部１１８、判定部２１４、表示制御部２１５は、ハードウェアロジックによって構成してもよいし、ＣＰＵ１１１又はＣＰＵ２１１が所定のプログラムを実行することにより、ソフトウェア的に構築されてもよい。
【０１１１】
本発明の実施態様１においては、自機器の運転に係る情報を表示する表示部１３を備える電気機器１と、前記電気機器１からの情報に基づく画像を表示する表示装置２とを含む表示システム１００において、前記電気機器１は、前記表示部１３が表示中の表示情報に対応する対応情報を自機器の取扱説明情報から抽出する抽出手段１１４と、抽出された対応情報を電子メールにて前記表示装置２に送信する送信部１６とを備え、前記表示装置２は、前記電気機器１から前記電子メールを受信して前記対応情報を表示するように構成されていることを特徴とする。
【０１１２】
本発明によれば、前記電気機器の抽出手段が、前記表示部が表示中の表示情報に対応する対応情報を自機器の取扱説明情報から抽出し、前記送信部が抽出された対応情報を電子メールにて前記表示装置に送信して前記表示装置に前記対応情報を表示させる。
【０１１３】
本発明の実施態様２においては、前記表示装置２は、特定送信元から電子メールを受信した場合、該電子メールに係る対応情報を直ちに表示させる表示制御手段２１５を備えることを特徴とする。
【０１１４】
本発明によれば、特定送信元から電子メールを受信した場合、前記表示装置の表示制御手段は、ユーザからの指示を待つことなく、当該電子メールに係る対応情報を直ちに表示させる。
【０１１５】
本発明の実施態様３においては、一の表示情報には他の表示情報が関連付けられており、前記電気機器１は、前記表示部１３が表示中の表示情報に関連付けられた他の表示情報に対応する対応情報の送信如何の選択を受け付ける選択受付手段１１７を備えることを特徴とする。
【０１１６】
本発明によれば、前記電気機器の選択受付手段が、前記表示部が表示中の表示情報に関連付けられた他の表示情報に対応する対応情報の送信如何の選択を受け付け、該選択受付手段が受け付けた選択に基づいて、前記表示部が表示中の表示情報に対応する対応情報のみ、又は、前記他の表示情報に対応する対応情報も共に、自機器の取扱説明情報から抽出し、抽出された対応情報を前記送信部が電子メールにて前記表示装置に送信する。
【０１１７】
本発明の実施態様４においては、ユーザの識別情報を該ユーザのアドレスに関連付けて記憶している記憶部１４と、受け付けた識別情報に基づいて認証を行う認証手段１１８と、認証できた場合、受け付けた識別情報に対応するアドレスを送信先とする電子メールを生成するメール生成手段１１５とを備えることを特徴とする。
【０１１８】
本発明によれば、前記認証手段がユーザから受け付けた識別情報に基づいて認証を行い、認証できた場合、前記記憶部に記憶している、受け付けた識別情報に対応するアドレスを送信先として、前記メール生成手段が電子メールを生成する。生成された電子メールは前記送信部によって前記表示装置に送信される。
【０１１９】
本発明の実施態様５においては、前記対応情報を前記表示装置２に送信する指示を受け付ける指示受付手段１１６を備え、該指示受付手段１１６が前記指示を受け付けた場合、前記メール生成手段１１５が前記抽出手段１１４によって抽出された対応情報を有する電子メールを生成し、該電子メールは本文に前記対応情報を含むように構成されていることを特徴とする。
【０１２０】
本発明によれば、前記指示受付手段が前記対応情報を前記表示装置に送信する指示を受け付けた場合、前記メール生成手段は、前記抽出手段によって抽出された対応情報をその本文に含む電子メールを生成し、前記送信部は生成された電子メールを前記表示装置に送信する。
【０１２１】
本発明の実施態様６においては、前記対応情報を前記表示装置２に送信する指示を受け付ける指示受付手段１１６を備え、該指示受付手段１１６が前記指示を受け付けた場合、前記メール生成手段１１５が前記抽出手段１１４によって抽出された対応情報を有する電子メールを生成し、該電子メールは添付ファイルが前記対応情報を含むように構成されていることを特徴とする。
【０１２２】
本発明によれば、前記指示受付手段が前記対応情報を前記表示装置に送信する指示を受け付けた場合、前記メール生成手段は、前記抽出手段によって抽出された対応情報を添付ファイルとして含む電子メールを生成し、前記送信部は生成された電子メールを前記表示装置に送信する。
【０１２３】
本発明の実施態様７においては、前記取扱説明情報を記憶しているウェブサーバ６を備え、前記メール生成手段１１５は前記ウェブサーバ６のＵＲＬの情報を有する電子メールを生成するように構成されていることを特徴とする。
【０１２４】
本発明によれば、例えば、前記指示受付手段が一の対応情報を前記表示装置に送信する指示を受け付けた場合、前記メール生成手段は前記ウェブサーバにおいて前記一の対応情報に係るＵＲＬの情報を有する電子メールを生成し、前記送信部は生成された電子メールを前記表示装置に送信する。
【符号の説明】
【０１２５】
１  複合機
２  モバイル端末
６  ウェブサーバ
１３  表示部
１４  記憶部
１６  ネットワークインターフェース
１００  表示システム
１１１  ＣＰＵ
１１４  抽出部
１１５  メール生成部
１１６  指示受付部
１１７  選択受付部
１１８  認証部
２１１  ＣＰＵ
２１４  判定部
２１５  表示制御部
【図１】
2016018275.tif 000003
【図２】
2016018275.tif 000004
【図３】
2016018275.tif 000005
【図４】
2016018275.tif 000006
【図５】
2016018275.tif 000007
【図６】
2016018275.tif 000008
【図７】
2016018275.tif 000009
【図８】
2016018275.tif 000010
【図９】
2016018275.tif 000011
【図１０】
2016018275.tif 000012
【図１１】
2016018275.tif 000013
【図１２】
2016018275.tif 000014
【図１３】
2016018275.tif 000015
【図１４】
2016018275.tif 000016